(57)【要約】【課題】水田溝切り機の溝切り刃に入り込んだ土砂を容易に除去できるとともに、除去するのに用いた道具の後始末を容易にする水田溝切り機の溝切り刃を提供する。【解決手段】溝切り刃２０は、溝の側面を形成する側板部２１と、溝の底面を形成する底板部２３を備えている。溝切り刃２０には、溝切り刃２０内に入り込んだ泥土を除去する泥土作業具３０を保持する保持具４０が設けられている。保持具４０は、溝切り刃２０の上面側に設けられ、泥土作業具３０が、溝切り刃２０の上面側の左右の側板部２１の間に着脱自在に保持される。【選択図】図５
2010255361.tif 000002
【特許請求の範囲】
【請求項１】
水田に概略Ｖ字状の溝を形成するために、前記溝の左右側面を形成するための左右の側板部（２１）と、前記溝の底面を形成するための底板部（２３）とを備える水田溝切り機の溝切り刃（２０、２０Ａ）において、
左右の前記側板部（２１）および前記低板部（２３）で囲まれた部分に入り込んだ泥土の除去等の泥土に対する作業に用いられる泥土作業具（３０）を着脱自在に保持する保持具（４０、６０）を備えることを特徴とする水田溝切り機の溝切り刃（２０、２０Ａ）。
【請求項２】
左右の前記側板部（２１）の上端から左右方向外方へ張り出した左右の張り出し板部（２２）を備え、
前記泥土作業具（５０）は、左右の前記張り出し板部（２２）上に架け渡された状態で前記保持具（６０）に保持される平板部（５２）と、当該平板部（５２）から左右の側板部（２１）の間を下方に延出する刃（５１）とを備え、
前記保持具（６０）による保持を解除した状態で、左右の前記張り出し板部（２２）に沿って前記平板部（５２）を前後方向に移動させることにより、左右の前記側板部（２１）の間で前記刃（５１）を前後方向に移動可能となっていることを特徴とする請求項１に記載の水田溝切り機の溝切り刃（２０Ａ）。
【発明の詳細な説明】
【技術分野】
【０００１】
本発明は、乗用型や歩行型等の水田溝切り機の溝切り刃に関する。
【背景技術】
【０００２】
従来、自走型の水田溝切り機としては、例えば、歩行型の水田溝切り機や、乗用型の水田溝切り機などが知られている。
水田溝切り機においては、前後方向に延びる伝動軸用パイプの後端部および前端部にそれぞれ、エンジンおよび減速機が取り付けられている。エンジンの回転動力は、伝動軸用パイプ内の伝動軸を介して減速機へ伝達される。伝動軸用パイプの中間部には、ハンドルの基端部が固定されており、このハンドルは後方へ向かって延びエンジンの上方へ張り出している。減速機の出力軸には、車輪が取り付けられており、この車輪は、減速機を介して減速されて伝達されて来るエンジンからの回転動力により回転駆動される。伝動軸用パイプには、斜め後方に延びるステーが固定されており、このステーの後端部には、溝切り刃（培土板）が前端側を後端側より高くなるように傾斜して取り付けられている。
【０００３】
前記溝切り刃は、溝の左右側面を形成するための左右の側板部分（側板部）と、溝の底面を形成するための左右の底板部分（底板部）とを備えており、少なくとも上方および後方が開放された溝形成部を有している。
【０００４】
このような水田溝切り機を用いて、水田において溝切りを行うには、溝切り刃を作業者の押す力や体重等により、水田の土中に所定深さまで沈めた状態で、溝切り機を前進させる。これにより、溝切り刃の後端部の底板部分が土中の所定深さに保持されて溝切り機が前進し、これにより土表面に所定深さの溝が形成される。
【０００５】
しかしながら、上述の水田溝切り機にあっては、溝切り刃（培土板）の上方が開放されているので、溝切り作業中に水田の泥土が溝切り刃の上方から入り込み、入り込んだ泥土が溝切り刃内に堆積して、溝切り刃の重量、すなわち水田溝切り機の重量が増加してしまう。このため、運搬時あるいは方向転換時等に、手で水田溝切り機を持ち上げる際に、作業者の身体的負担が大きい。
【０００６】
そこで、溝切り刃の上方に開放された部分を閉塞する閉塞部材を設け、溝切り刃内に泥土が入り込むのを防止することが提案されている（例えば、特許文献１参照）。
【先行技術文献】
【特許文献】
【０００７】
【特許文献１】特開２００７−２４７２３３号公報
【発明の概要】
【発明が解決しようとする課題】
【０００８】
ところで、溝切りが水田の泥土中での作業であるため、溝切り刃の上方に開放する部分を閉塞部材で閉塞しても、溝切り刃内へ泥土が入り込むのを完全に防止することは困難であり、上述のように作業中に溝切り刃が泥土で重くなった場合や、水田溝切り機をしまう際などに、溝切り刃内に入り込んだ泥土を取り除く必要が生じる。
この場合に、手で泥土を取り除くのは作業性が悪く、作業者に余計な負担がかかることになるので、例えば、スコップ等の道具を用いて、溝切り刃から泥土を除去することが好ましい。
【０００９】
しかしながら、溝切り刃から泥土を取り除くのにスコップを用いるには、溝切り作業を行う際に、スコップを携帯する必要があるとともに、スコップを使用すれば、スコップが泥土で汚れ、例えば、使用したスコップを持って帰るような場合に、スコップについた泥土により服が汚れたり、持ち帰った場所が汚れる虞がある。
この場合、スコップに付着した泥土による汚れを防止するために、作業後にスコップの泥土を洗い流すなどの後作業が必要となるなど、作業が煩雑になる。
また、水田の溝切り作業に際して、毎回スコップを携帯すること自体が作業者の負担となる。
【００１０】
本発明は、前記事情に鑑みて為されたもので、溝切り刃からの泥土の除去にスコップ等の道具を用いるものとしても、作業者がスコップを携帯する必要がなく、かつ、スコップが泥土で汚れても、問題なくスコップを格納することができる水田溝切り機の溝切り刃を提供することを目的とする。
【課題を解決するための手段】
【００１１】
前記目的を達成するために、請求項１に記載の水田溝切り機の溝切り刃（２０、２０Ａ）は、  水田に概略Ｖ字状の溝を形成するために、前記溝の左右側面を形成するための左右の側板部（２１）と、前記溝の底面を形成するための底板部（２３）とを備える水田溝切り機の溝切り刃（２０、２０Ａ）において、
左右の前記側板部（２１）および前記低板部（２３）で囲まれた部分に入り込んだ泥土の除去等の泥土に対する作業に用いられる泥土作業具（３０）を着脱自在に保持する保持具（４０、６０）を備えることを特徴とする。
【００１２】
請求項２に記載の水田溝切り機の溝切り刃（２０Ａ）は、請求項１に記載の発明において、左右の前記側板部（２１）の上端から左右方向外方へ張り出した左右の張り出し板部（２２）を備え、
前記泥土作業具（５０）は、左右の前記張り出し板部（２２）上に架け渡された状態で前記保持具（６０）に保持される平板部（５２）と、当該平板部（５２）から左右の側板部（２１）の間を下方に延出する刃（５１）とを備え、
前記保持具（６０）による保持を解除した状態で、左右の前記張り出し板部（２２）に沿って前記平板部（５２）を前後方向に移動させることにより、左右の前記側板部（２１）の間で前記刃（５１）を前後方向に移動可能となっていることを特徴とする。
【００１３】
なお、上記における括弧内の符号は、図面において対応する要素を便宜的に表記したものであり、したがって本発明は図面上の記載に限定されるものではない。これは、「特許請求の範囲」の記載についても同様である。
【発明の効果】
【００１４】
請求項１に記載の本発明の水田溝切り機の溝切り刃によれば、溝切り刃の泥土を除去するスコップやシャベル等の泥土作業具が、溝切り刃の保持具に着脱自在に保持されるので、溝切り刃に入り込んだ泥土を除去する際に、泥土作業具を溝切り刃の保持具から取り外して、この泥土作業具を用いて溝切り刃の泥土を除去することができる。したがって、スコップ等の泥土作業具を作業者が溝切り作業に際して携帯する必要がなく、作業者の負担を軽減できる。
【００１５】
また、溝切り刃の泥土の除去により泥土作業具が汚れても、泥土で汚れた状態の溝切り刃の保持具に使用後の汚れた泥土作業具を保持させることができるので、汚れた泥土作業具を保持したり、家に持ち帰ったりすることで、作業者の服が汚れたり、家が汚れたりすることがない。
【００１６】
また、泥土作業具を水田溝切り機の溝切り刃以外の部分、例えば、ハンドルやサドルやその他のフレーム等に保持する構成とした場合に、必ずしも水田の泥土で汚れない部分が泥土を除去したことで汚れた泥土作業具により汚されてしまう可能性があるとともに、作業者に接触して作業者の服等を汚してしまう可能性がある。
これに対して、元々泥土で汚れる溝切り刃に泥土で汚れた泥土作業具を保持して、泥土作業具から溝切り刃に泥土が付着しても問題がない。また、溝切り刃は水田に溝を切るために水田溝切り機の最下部に配置されるので、溝切り刃に汚れた泥土作業具が保持されても作業者の服を汚すような問題も生じない。
【００１７】
また、水田溝切り機が使用される季節が終わり、水田溝切り機を格納する際に、水田溝切り機の溝切り刃等を洗浄するような場合に、溝切り刃とともに泥土作業具を水洗いすることが可能であり、泥土作業具を溝切り刃に保持する構成としても、洗浄等の手間が増加することがない。
【００１８】
請求項２に記載の本発明の水田溝切り機の溝切り刃によれば、泥土作業具の平板部を左右の張り出し板部に沿って前後に移動させることで、泥土作業具の刃が、左右の側板部の間を前後に移動するので、これにより、左右の側板部の間に入り込んだ泥土を除去することが可能となる。
すなわち、平板部を左右の張り出し板部の上面に沿って移動させる簡単な動作で
左右の側板部の間の泥土を短時間に除去することが可能となる。
【図面の簡単な説明】
【００１９】
【図１】本発明の第１実施形態に係る図であって、水田溝切り機を示す側面図である。
【図２】同、水田溝切り機を示す背面図である。
【図３】同、水田溝切り機を示す平面図である。
【図４】同、水田溝切り機を示す斜視図である。
【図５】同、溝切り刃を示す斜視図である。
【図６】本発明の第２実施形態に係る水田溝切り機の溝切り刃を示す斜視図である。
【発明を実施するための形態】
【００２０】
以下、図面を参照しながら、本発明の第１実施形態について説明する。
図１〜図５は本発明の第１実施形態に係る図であって、頭１は水田溝切り機を示す側面図であり、図２は水田溝切り機を示す背面図であり、図３は水田溝切り機を示す平面図であり、図４は水田溝切り機を示す斜視図であり、図５は溝切り刃を示す斜視図である。
【００２１】
図１〜図４に示すように、この乗用型水田溝切り機は、後方側が少し高くなって斜めに前後方向に延びる伝動軸用パイプ１を備えている。この伝動軸用パイプ１は本体フレームとしても機能する。伝動軸用パイプ１の後端部および前端部にはそれぞれ、エンジン（原動機）２および減速機３が取り付けられている。エンジン２の回転動力は、伝動軸用パイプ１内の伝動軸（図示せず）を介して減速機３へ伝達される。減速機３の出力軸は、当該減速機３のケースから水平に突出しており、この出力軸（車軸）には、駆動用車輪４が１つ固定されている。この駆動用車輪４は、減速機３を介して減速されて伝達されるエンジン２からの回転動力により回転駆動される。
【００２２】
駆動用車輪４は、複数個のラグ４ａが固定された円環状の外輪４ｂと、中央部に設けられて減速機３の出力軸が固定されるハブ（図示せず）と、外輪４ｂとハブとを連結する複数個のスポーク４ｄとを備えている。
【００２３】
伝動軸用パイプ１の上側には、サドル５が設けられている。すなわち、サドル５は、サドル支持部６の上側に固定されており、このサドル支持部６から下方に延びる支持部（図示せず）と、伝動軸用パイプ１から上方に延びる支持部（図示せず）とが固定位置を変更可能に接続されている。この固定位置を変えることにより、サドル５の高さ位置を複数段階（例えば、３段階）に変えることができるようになっている。サドル５は、駆動用車輪４の中心から後方斜め上方に位置するようになっている。
【００２４】
サドル支持部６の前側部分には、前方斜め上方に延びるハンドル支持部８が設けられている。このハンドル支持部８の上端部には、水平に棒状に延びるハンドル９が上下方向の位置を調節可能に取り付けられており、ハンドル９の両端部にはグリップ１０，１０が設けられている。ハンドル９は、サドル５の前方斜め上方に位置するとともに、駆動用車輪４の中心から前方斜め上方に位置している。
【００２５】
ハンドル９には、スロットルレバー（図示せず）が取り付けられており、このスロットルレバーによりエンジン２のスロットル開度、すなわちエンジン２の出力を調整する。また、ハンドル９には、ストップスイッチ（図示せず）が取り付けられており、このストップスイッチによりエンジン２の点火プラグへの電流の流れをショートさせ、エンジン２の駆動を停止させる。
【００２６】
また、サドル支持部６には、この水田溝切り機を持ち上げて、運んだりあるいは方向を変えるためなどに用いる把手部１１が取り付けられている。把手部１１は、サドル支持部６の周りに概略Ｕ字状に水平に延びている。また、サドル５の下側の左右および後端に設けられた複数個の支持板１２に、駆動用車輪４の後側上半部の左右側方および後方を覆うカバー１３が取り付けられている。このカバー１３の前端部には、駆動用車輪４の前側上半部の左右側方および前方を覆う護葉板１４が取り付けられている。
【００２７】
伝動軸用パイプ１には、後方斜め下方に延びるパイプからなるステー１５が固定されており、このステー１５の後端部に固定された支持部材１６に、溝切り刃２０がその前端側が後端側より高くなるように傾斜して、ボルトにより取り付けられている。ステー１５の上端部には、スタンド１８の上端部が回動可能に取り付けられている。溝切り刃２０は、駆動用車輪４の後方に位置しているとともに、サドル５の後方斜め下方に位置している。
【００２８】
図５に示すように、溝切り刃２０は、取付部材２８を除いて任意の横断面において左右対称な構造となっており、概略Ｖ字状の水田の溝の側面を形成するための左右の側板部２１と、側板部２１の上端から左右方向外方へ張り出した左右の張り出し板部２２と、溝切り刃２０の後端部底部に設けられ、溝の底面を形成するための左右の底板部２３とを備えている。左右の側板部２１、張り出し板部２２および底板部２３はそれぞれ、アルミニウム合金あるいはステンレス鋼等からなる１枚の金属板が折り曲げられて形成されている。
【００２９】
左右の各側板部２１は、前側に向かうにつれて高さ方向の寸法が短くなるように形成されて、これらの両側板部２１が横断面において概略Ｖ字状になるように下端部の大部分が突き当てられ、そして前側が上になるように斜めに配置されている。両側板部２１下端部のうち、後側部分を除いて突き当てられている部分は、一定の狭い寸法で重ねられて接合され、これにより前側が上になるような斜めに延びる接合部２５が形成されている。
【００３０】
左右の底板部２３は、左右の側板部２１の下端の後端部のみに設けられている。すなわち、両側板部２１の下端部の接合部２５の後側には、後側に向かって広がる概略三角形状の空間が形成されており、左右の各側板部２３の下端からそれぞれ、各底板部２３が左右内方に向かって張り出して、この空間内に位置している。各底板部２３は、後側に向かって広くなる概略三角形状（ただし、後側の対向する角は丸く形成されている。）に形成されており、後側に向かうにつれて少し下側に位置するように少し傾斜している。両底板部２３の間には、間隙２６が設けられている。
【００３１】
左右の張り出し板部２２は、後側に向かうにつれて幅が広くなっており、両張り出し板部２２の前端部は、両張り出し板部２２に両端部を溶接により固定された板状の連結部材２７により連結されている。この連結部材２７の上面中央部には、上方に向けて延びる板状の取付部材２８が固定されており、この取付部材２８と前記支持部材１６とがボルトにより連結されることにより、溝切り刃２０が取り付けられる。両張り出し板部２２の後端部は、ターンバックル２９により連結されている。このターンバックル２９は、両底板部２３の間の間隙２６の上方に位置しており、作業者はこのターンバックル２９の長さを調整自在することにより、間隙２６の寸法、すなわち前後方向に関してターンバックル２９の位置における左右の張り出し板部２２の間隔を調整する。
【００３２】
この例の溝切り刃２０には、溝切り刃２０内に入り込んだ泥土を除去する泥土作業具３０を着脱自在に保持する保持具４０が設けられている。この例において、泥土作業具３０はスコップ（シャベル）であり、手で握るための筒状の柄３１と、泥土をすくったり、掻きだしたりするための円弧板状でかつ先端縁が弧状の刃３２とを備えている。
当該泥土作業具３０は、金属製の前記柄３１と前記刃３２とが一体に形成されている。泥土作業具３０は、柄３１を握った状態で刃３２で泥土を引き剥がしたり、すくったり、かき出したりすることにより、溝切り刃２０内に入り込んだ泥土を除去するようになっている。
【００３３】
保持具４０は、溝切り刃２０の前側と後ろ側とに分けて設けられており、前側の保持具４１は、溝切り刃２０の前部の左右の側板部２１，２１の上端に形成された左右の張り出し板部２２の上面間に架け渡された帯状のベース部材４２と、ベース部材４２に下端部が固定された挟持部材４３とを備える。挟持部材４３は、左側部分および右側部分がそれぞれ逆Ｓ字状およびＳ字状に形成されて対向した状態となっているとともに、これら左側部分と右側部分との下端部が連結されて一体に形成されている。挟持部材４３の左側部分および右側部分の上端部は、上に向うにつれて互いに遠ざかるように開いている。挟持部材４３の左右方向中央部の下端部は、ベース部材４２の左右方向の中央部に固定されている。
【００３４】
挟持部材４３の左側部分と右側部分との間に、泥土作業具３０の柄３１を上方から下方に向けて押し込むことにより、挟持部材４３の左側部分と右側部分とが外側に弾性変形し、弾性力により泥土作業具３０の柄３１が挟持部材４３に挟持されて保持される。
また、挟持部材４３に柄３１が挟持された状態で泥土作業具３０の柄３１を上方に持ち上げることにより、柄３１を挟持部材４３から取り外すことができる。
【００３５】
後ろ側の保持具４５は、帯状の板体からなる帯部材４６が溝切り刃２０の後部において、左右の側板部２１の上端の張り出し板部２２の上面間に架け渡されている。また、帯部材４６の中央部には、上側に二重に折り返されて、上側を凹とする円弧状に湾曲されており、その円弧状の中空部に刃３２の先端部が挿入されて保持されている。帯部材４６の中央部は、左右の張り出し板部２２にそれぞれ接合された両端部より高い位置に配置されている。なお、保持具４５の円弧状の中空部を有する中央部を別部材で構成し、これを平板の帯板状の帯部材４６の上側に溶接等により固定することにより、保持具４５を構成するようにしてもよい。
【００３６】
保持具４０へ泥土作業具３０を保持させる際には、先に泥土作業具３０の刃３２を後ろ側の保持具４５の帯部材４６の中央部と左右の折り返し部の間に挿入した後に、泥土作業具３０の柄３１を前側の保持具４１の挟持部材４３に上側から押し込むことになる。保持具４０から泥土作業具３０を取り外す際には、泥土作業具３０の柄３１を持ち上げるようにして挟持部材４３から取り外した後に、柄３１を溝切り刃２０の前側に移動して、帯部材４６から刃３２を抜くようにして外すことになる。
保持具４０および保持具４０に保持された泥土作業具３０の位置は、左右の側板部２１の上側、すなわち、溝切り刃２０の上端部となる。
【００３７】
この乗用型水田溝切り機を用いて、水田において溝切りを行うには、作業者がサドル５に跨って乗り、左右の脚部を駆動用車輪４の左右に配置するとともに、ハンドル９のグリップ１０，１０を把持しながら、エンジン２の回転駆動力により駆動用車輪４を回転させて、この駆動用車輪４により溝切り機を前進させる。そうすると、作業者の体重が駆動用車輪４と溝切り刃２０とにより支持されるので、溝切り刃２０が加圧され、溝切り刃２０が所定深さに保持されて溝切り刃２０が前進する。溝切り刃２０の前進に伴い、溝切り刃２０の前方の土は、左右に掻き分けられ、水田の土表面上へ排出されるとともに、溝切り刃２０の後方には水田の土表面に所定深さの概略Ｖ字状の溝が形成される。この概略Ｖ字状の溝は、両側板部２１により溝の側面が形成されるとともに、両底板部２０により溝の底面が形成される。また、張り出し板部２２により、溝の上端近傍の土表面上へ押し上げられた土が左右外方へ拡散される。
【００３８】
そして、溝切り作業を行っていくと、溝切り刃２０内には、水田の泥土が入り込んでくることになる。溝切り作業を続けていくうちに溝切り刃２０内の泥土の量が増加傾向となるので、溝切り作業中もしくは作業後に溝切り刃２０から泥土を取り除くことが好ましい。
【００３９】
この場合に、溝切り刃２０の保持具４０に泥土作業具３０が保持されているので、保持具４０から泥土作業具３０を取り外し、当該泥土作業具３０を用いて溝切り刃２０の泥土を除去することにより、手で泥土を除去するより効率的に泥土を除去することができる。
また、作業者が泥土除去のためにスコップ等を溝切り作業の際に携帯する必要がなく、作業者の負担を軽減することができる。
【００４０】
また、使用した泥土作業具３０は、溝切り作業により泥土で汚れている溝切り刃２０に保持されることになり、泥土作業具３０が汚れていても元々溝切り刃２０が泥土で汚れているので問題が生じない。すなわち、水田溝切り機の溝切り刃２０以外（さらに駆動用車輪４以外）の部分に泥土作業具３０を保持するようにした場合のように、汚れた泥土作業具３０により泥土溝切り機の汚れていない部分を汚してしまう虞がない。
【００４１】
また、泥土作業具３０が、水田溝切り機の下部に配置されているので、溝切り刃２０に汚れた泥土作業具３０が保持されていても作業者の服を汚す虞はほとんどないが、汚れた泥土作業具３０が溝切り刃２０と駆動用車輪４以外の部分に保持されていた場合に、汚れた泥土作業具３０に接触して服を汚してしまう虞がある。
【００４２】
また、泥土作業具３０が、溝切り刃２０の上端部に配置されているので、溝切り刃２０が地面側に配置されていても、泥土作業具３０を容易に保持具４０に対して着脱することができる。
また、溝切り刃２０の上端部に保持具４０および泥土作業具３０が配置されているので、溝切り刃２０に保持具４０や泥土作業具３０を配置することによる溝切り作業への影響がなく、従来と同様に溝切り刃２０を使用することができる。
【００４３】
図６は、本発明の第２実施形態に係る水田溝切り機の溝切り刃を示す斜視図である。
第２実施形態の水田溝切り機は、溝切り刃２０Ａを除いて第１実施の形態の水田溝切り機と同様のものであり、第２実施形態の溝切り刃２０Ａは、保持具６０と保持具６０に保持される泥土作業具５０を除いて、第１実施形態の溝切り刃２０と同様のものである。
【００４４】
泥土作業具５０は、泥土をすくったり、かき出したりして除去するのに用いられる刃５１と、当該刃５１につながる平板部５２と、泥土作業具５０を手にとって操作するための持ち手部５３とを備えるものである。
泥土作業具５０の刃５１は、溝切り刃２０Ａの底板部２３および間隙２６より少し前側の左右の断面形状である二等辺三角形状に形成されている。
【００４５】
泥土作業具５０の平板部５２は、溝切り刃２０Ａの底板部２３および間隙２６より少し前側となる部分で、左右の側板部２１の上端にそれぞれ形成された張り出し板部２２間に架け渡されている。
平板部５２は、上述の底板部２３および間隙２６の少し前側から連結部材２７の部分までの間に配置されて、左右の側板部２１の各張り出し板部２２に取り付けられ、前側に向うほど左右の側板部２１の上端間の間隔が狭くなるのに対応して略台形状に形成されている。
【００４６】
また、平板部５２の後端側には刃５１が一体に接続された状態となっているとともに、側板部２１の上側縁（張り出し板部２２の上面）に沿った状態の平板部５２に対して刃５１が下側を向いていることから、平板部５２と刃５１との境界部分で平板部５２と刃５１とが屈曲した状態となっている。
【００４７】
また、平板部５２の前端部には、その中央部に前側に開放した状態のスリット部５４が形成されている。平板部５２の前端部は、連結部材２７の下側に差し込まれる構成となっており、左右幅が連結部材２７の部分における左右の側板部２１の間隔より少し狭くなっている。
平板部５２を連結部材２７の下側に差し込んだ状態で、平板部５２のスリット部５４に取付部材２８が挿入された状態となる。
【００４８】
持ち手部５３は、概略コ字状の部材で、後端部が刃５１の上部に接合され、前端部が平板部５２のスリット部５４の少し後ろに接合されており、持ち手部５３の中央部と、平板部５２の上面との間には、手を挿入可能な間隔があけられている。
泥土作業具５０は、持ち手部５３を持って刃５１を溝切り刃２０Ａの左右の側板部２１間に挿入した状態で、溝切り刃２０Ａの後ろ側に動かすことで、僅かな動作により溝切り刃２０Ａ内の泥土を除去できるようになっている。すなわち、刃５１の形状が左右の側板部２１の間の空間の断面と略同じ形状となっているので、刃５１を左右の側板部２１の間に挿入して溝切り刃２０Ａの後ろ側に移動するだけで、多くの泥土を押し出すことが可能となっている。
【００４９】
このような泥土作業具５０を溝切り刃２０Ａに保持させる保持具６０には、この例において、上述の平板部５２の前端部が下側に挿入される連結部材２７が含まれる。また、溝切り刃２０Ａの左右の張り出し板部２２の泥土作業具５０の平板部５２の後端部が配置される部分には、それぞれ保持される泥土作業具５０の平板部５２と上下に重ならず、かつ、平板部５２の後端部に近接する部分に、ねじ孔（雌ねじ）が形成されている。
【００５０】
このねじ孔には、ワッシャ６２を介して手回し用の蝶ボルト（蝶ねじ）６１が螺合されている。そして、ワッシャ６２は、一部が保持される泥土作業具５０の平板部５２の後端部と重なった状態となり、蝶ボルト６１を締め付けることにより、ワッシャ６２により、平板部５２の後端部が固定される。
【００５１】
そして、上述の連結部材２７、蝶ボルト６１、ワッシャ６２とから保持具６０が構成されている。保持具６０に泥土作業具５０を保持させる際には、予め、溝切り刃２０Ａにおいて、蝶ボルト６１を緩めておく。溝切り刃２０Ａにおいて、連結部材２７の下側に平板部５２の前端部を挿入するとともにスリット部５４に取付部材２８が挿入されるようにし、刃５１を溝切り刃２０Ａ内に上側から挿入する。次いで、平板部５２の後端部がワッシャ６２より少し前側となるようにして、平板部５２と張り出し板部２２とを当接させた状態で、平板部５２を少し後ろにずらすとともに、平板部５２の後端部がワッシャ６２の一部の下側となるようにする。次いで、蝶ボルト６１を締め付けることで、ワッシャ６２と張り出し板部２２との間に平板部５２の後端部を挟んで、泥土作業具５０を保持具６０に保持した状態とする。
【００５２】
また、保持具６０から泥土作業具５０を取り外す際には、蝶ボルト６１を緩め、泥土作業具５０の平板部５２を前側に少しずらすことで、平板部５２の後端部からワッシャ６２を取り外した後に、持ち手部５３を持って泥土作業具５０を持ち上げならが、後ろ側に移動することで、平板部５２の前端部を連結部材２７の下側から出す。これにより、泥土作業具５０が取り外された状態となる。
【００５３】
このような第２実施形態の水田溝切り機の溝切り刃２０Ａによれば、除去すべき泥土は、溝切り刃２０Ａに保持された泥土作業具５０の刃５１より後ろ側部分となり、容易に泥土作業具５０で泥土を除去することができる。また、刃５１が溝切り刃２０Ａの左右の側板部２１の間の形状に対応する二等辺三角形となっているので、左右の側板部２１の間に入り込んだ泥土を一気にかき出すことができる。
【００５４】
前記第１実施形態および第２実施形態において、スコップやシャベル等として機能する泥土作業具３０、５０を、溝切り刃２０、２０Ａの泥土の除去に使用するものとしたが、例えば、以下のような用途に使用する場合もある。
水田での溝切り作業では、溝を交差するように設ける場合がある。この場合に、既に形成されている溝に対して交差するように新たに溝を形成することになるが、この際に、新たに溝を形成することにより押しのけられた泥が先に形成された溝の一部を埋めてしまい、先に形成された溝が交差部分で遮断された状態となってしまう。
【００５５】
すなわち、溝同士の交差部分において、先に形成された溝の一部が埋まってしまい、溝に沿って水が流れることができない状態となる。そこで、交差部分で先に形成された溝が埋められている部分を整形して、溝を連続した状態とするのに上記泥土作業具５０が用いられる場合がある。この場合も手で行うよりも作業性が向上し、かつ、スコップ等を作業者が携帯する必要がないとともに、泥土で汚れた泥土作業具３０，５０を溝切り刃２０，２０Ａに保持できるので、上述の各例の場合と同様の作用効果を得ることができる。
【００５６】
また、第２実施形態において、左右の張り出し板部２２に設けられ、蝶ボルト６１が螺合されるねじ孔の位置を、保持される泥土作業具５０の平板部５２より左右外側とし、左右のねじ孔の間隔を平板部５２の最も広くなった左右幅より長く、かつ、平板部５２の最も長い左右幅と、２つのねじ孔間の距離との差が、前記ねじ孔に蝶ボルト６１により固定されるワッシャ６２の内周縁から外周縁までの半径方向に沿った距離の２倍より短くするものとしてもよい。
この場合に、平板部５２の最も左右幅の広い部分を、ねじ孔に螺合された蝶ボルト６１を締め付けてワッシャ６２と張り出し板部２２に挟んで保持できるとともに、蝶ボルト６１を緩めてワッシャ６２と張り出し板部２２による挟持を解除した場合に、ねじ孔に螺合された状態の左右の蝶ボルト６１の間を通して平板部５２を張り出し板部２２の上面に沿って前後動することが可能となる。これにより、泥土作業具５０の刃５１を左右の側板部２１の間で前後動させる際に、張り出し板部２２の上面に平板部５２が案内された状態となり、作業者が左右の側板部の間の泥土を楽に除去することができる。
【符号の説明】
【００５７】
２０      溝切り刃
２０Ａ    溝切り刃
２１      側板部
２２      張り出し板部
２３      底板部
３０      泥土作業具
４０      保持具
５０      泥土作業具
５１      刃
５２      平板部
６０      保持具
【図１】
2010255361.tif 000003
【図２】
2010255361.tif 000004
【図３】
2010255361.tif 000005
【図４】
2010255361.tif 000006
【図５】
2010255361.tif 000007
【図６】
2010255361.tif 000008